(57)【要約】【課題】  プリント注文の受付に要する時間を短縮すると共に、プリント注文を行うのに便利なプリント注文受付装置を提供する。【解決手段】  メディアドライブによって読み出された複数の画像データファイルに係る複数の画像の全ての画像が「一覧画面」に一度に表示される。そして、顧客が「一覧画面」において注文画像を指定すると、その注文画像が拡大表示されると共に、その注文画像の前後の画像が拡大表示された「注文画面」に切り換わる。「注文画面」では、注文画像の拡大画像とその他の拡大画像とが異なる大きさで表示される。【選択図】図１１
2006318009.tif 000002
【特許請求の範囲】
【請求項１】
写真プリントの注文を受け付けるプリント注文受付装置において、
記録媒体に記録された複数の画像データファイルを読み出すための読み出し部と、
前記読み出し部によって読み出された画像データファイルに係る複数の画像であり且つ所定サイズで一覧表示された複数の画像の中から注文画像を指定する指定手段と、
前記指定手段によって指定された前記注文画像の前記所定サイズよりも大きい拡大画像を含み、且つ、前記注文画像の直前に撮影された所定数の画像及び前記注文画像の直後に撮影された所定数の画像の少なくとも一方の前記所定サイズよりも大きい拡大画像を含む注文画面をディスプレイに表示させる注文画面表示制御手段とを備えていることを特徴とするプリント注文受付装置。
【請求項２】
前記注文画面において、前記注文画像の拡大画像と、前記注文画像の直前に撮影された所定数の画像及び／または前記注文画像の直後に撮影された所定数の画像の拡大画像とが異なる形態で表示されていることを特徴とする請求項１に記載のプリント注文受付装置。
【請求項３】
前記注文画面において、前記注文画像の拡大画像の大きさが、前記注文画像の直前に撮影された所定数の画像及び／または前記注文画像の直後に撮影された所定数の画像の拡大画像の大きさよりも大きいことを特徴とする請求項２に記載のプリント注文受付装置。
【請求項４】
前記注文画面において、前記注文画像の拡大画像の枠の色が、前記注文画像の直前に撮影された所定数の画像及び／または前記注文画像の直後に撮影された所定数の画像の拡大画像の枠の色と異なることを特徴とする請求項２または３に記載のプリント注文受付装置。
【請求項５】
前記注文画像の直前に撮影された所定数の画像及び／または前記注文画像の直後に撮影された所定数の画像の拡大画像に関して、前記注文画面に表示される枚数である所定数を入力する表示枚数入力手段をさらに備えていることを特徴とする請求項１〜４のいずれか１項に記載のプリント注文受付装置。
【請求項６】
前記読み出し部によって読み出された画像データファイルに係る複数の画像は、撮影日毎のグループに分けられた状態で一覧表示されることを特徴とする請求項１〜５のいずれか１項に記載のプリント注文受付装置。
【請求項７】
写真プリントの注文を受け付けるプリント注文受付装置において、
記録媒体に記録された複数の画像データファイルを読み出すための読み出し部と、
前記読み出し部によって読み出された画像データファイルに係る画像の撮影日時に関するパラメータを前記記録媒体又は画像データファイルから取得するパラメータ取得手段と、
前記読み出し部によって読み出された画像データファイルに係る画像のうち、連続撮影された一群の画像を判別する判別手段と、
前記読み出し部によって読み出された画像データファイルに係る複数の画像であり且つ所定サイズで一覧表示された複数の画像の中から注文画像を指定する指定手段と、
前記指定手段によって指定された前記注文画像が含まれる連続撮影された一群の画像の前記所定サイズよりも大きい拡大画像を含む注文画面をディスプレイに表示させる注文画面表示制御手段とを備えていることを特徴とするプリント注文受付装置。
【請求項８】
前記注文画面において、前記注文画像の拡大画像と、前記注文画像が含まれる連続撮影された一群の画像のうちの前記注文画像以外の画像の拡大画像とが異なる形態で表示されていることを特徴とする請求項７に記載のプリント注文受付装置。
【請求項９】
前記注文画面において、前記注文画像の拡大画像の大きさが、前記注文画像が含まれる連続撮影された一群の画像のうちの前記注文画像以外の画像の拡大画像の大きさよりも大きいことを特徴とする請求項８に記載のプリント注文受付装置。
【請求項１０】
前記注文画面において、前記注文画像の拡大画像の枠の色が、前記注文画像が含まれる連続撮影された一群の画像のうちの前記注文画像以外の画像の拡大画像の枠の色と異なることを特徴とする請求項８または９に記載のプリント注文受付装置。
【請求項１１】
前記読み出し部によって読み出された画像データファイルに係る複数の画像は、撮影日毎のグループに分けられた状態で一覧表示されることを特徴とする請求項７〜１０のいずれか１項に記載のプリント注文受付装置。
【請求項１２】
写真プリントの注文を受け付けるプリント注文受付装置において、
記録媒体に記録された複数の画像データファイルを読み出すための読み出し部と、
前記読み出し部によって読み出された複数の画像データファイルに対して画像認識処理を行う画像認識手段と、
前記読み出し部によって読み出された画像データファイルに係る画像のうち、互いに類似した一群の画像を判別する判別手段と、
前記読み出し部によって読み出された画像データファイルに係る複数の画像であり且つ所定サイズで一覧表示された複数の画像の中から注文画像を指定する指定手段と、
前記指定手段によって指定された前記注文画像が含まれる互いに類似した一群の画像の前記所定サイズよりも大きい拡大画像を含む注文画面をディスプレイに表示させる注文画面表示制御手段とを備えていることを特徴とするプリント注文受付装置。
【請求項１３】
前記注文画面において、前記注文画像の拡大画像と、前記注文画像が含まれる互いに類似した一群の画像のうちの前記注文画像以外の画像の拡大画像とが異なる形態で表示されていることを特徴とする請求項１２に記載のプリント注文受付装置。
【請求項１４】
前記注文画面において、前記注文画像の拡大画像の大きさが、前記注文画像が含まれる互いに類似した一群の画像のうちの前記注文画像以外の画像の拡大画像の大きさよりも大きいことを特徴とする請求項１３に記載のプリント注文受付装置。
【請求項１５】
前記注文画面において、前記注文画像の拡大画像の枠の色が、前記注文画像が含まれる互いに類似した一群の画像のうちの前記注文画像以外の画像の拡大画像の枠の色と異なることを特徴とする請求項１３または１４に記載のプリント注文受付装置。
【請求項１６】
前記読み出し部によって読み出された画像データファイルに係る複数の画像は、撮影日毎のグループに分けられた状態で一覧表示されることを特徴とする請求項１２〜１５のいずれか１項に記載のプリント注文受付装置。
【発明の詳細な説明】
【技術分野】
【０００１】
本発明は、顧客から写真プリントの注文を受け付けるプリント注文受付装置に関するものである。
【背景技術】
【０００２】
近年のデジタルカメラの普及に伴い、デジタルカメラで撮影された画像データを、従来からの写真処理装置を用いて銀塩印画紙等に対して高い品質でプリントする要望が高まっている。従って、写真店には、複数のデジタル画像受付装置と写真プリント装置とを備えたデジタル画像処理システムが設置されることが一般的になってきている（例えば、特許文献１参照）。このシステムでは、顧客によってデジタルカメラで撮影された画像データが保存されたメディアがセットされ、プリント枚数などの種々の指定を含むプリント注文が行われると、その注文に対応したプリント処理が写真処理装置で行われる。そして、写真店では、完成した写真プリントが顧客に手渡されると共に、プリント代金の精算が行われる。
【０００３】
ここで、顧客は、受付装置のタッチパネル方式のディスプレイに表示された注文画面を見ながら、各画像のプリント枚数などの指定を行う。そして、多数の画像データがメディアに保存されている場合には、それらを一度に注文画面に表示することができないので、所定数（例えば８コマ）の画像毎に表示されることが多い。従って、顧客は、所定数の画像の各プリント枚数を指定を行い、その指定が終了する度に、次の所定数の画像が表示される画面に切り換えて、これらの画像の各プリント枚数の指定を行う。
【特許文献１】特開２００３−７５９３０号公報（図１）
【発明の開示】
【発明が解決しようとする課題】
【０００４】
ここで、１つの写真店には数台の受付装置が設置されていることが多いが、この写真店に多くの顧客がプリント注文を行うために訪れた場合には、これらの顧客は同時に受付装置を利用することができないので、顧客は自分の順番が来るのを待つ必要がある。このとき、受付装置を利用する顧客は、上述したように、ディスプレイに表示された注文画面を見ながら注文を行うが、多数の画像に関する注文が行われる場合には、１人の顧客が注文が完了するまでに長時間を要する場合がある。特に、メディアから読み出された画像が非常に多い場合には、顧客は画面を何度も切り換えながらプリント注文を行う必要があり、注文を希望する画像を見つけ出すのに時間がかかってしまう。このような場合には、顧客は自分の順番が来るまで長時間待たなければならなくなる。特に、受付装置を利用している顧客の注文に要する時間は、待っている顧客からは全く分からないので、受付装置が空くのを待つ顧客は非常に大きなストレスを感じることになる。
【０００５】
このような問題を解消するために、メディアから読み出された画像をそれぞれのサイズを小さく表示することによって、全ての画像を一度に注文画面に表示することが考えられる。しかしながら、この場合には、各画像の内容を確認するのが困難になるので、プリント注文を行うのに非常に不便である。
【０００６】
そこで、本発明の主な目的は、プリント注文の受付に要する時間を短縮できると共に、プリント注文を行うのに便利なプリント注文受付装置を提供することである。
【課題を解決するための手段および発明の効果】
【０００７】
本発明のプリント注文受付装置は、写真プリントの注文を受け付けるプリント注文受付装置において、記録媒体に記録された複数の画像データファイルを読み出すための読み出し部と、前記読み出し部によって読み出された画像データファイルに係る複数の画像であり且つ所定サイズで一覧表示された複数の画像の中から注文画像を指定する指定手段と、前記指定手段によって指定された前記注文画像の前記所定サイズよりも大きい拡大画像を含み、且つ、前記注文画像の直前に撮影された所定数の画像及び前記注文画像の直後に撮影された所定数の画像の少なくとも一方の前記所定サイズよりも大きい拡大画像を含む注文画面をディスプレイに表示させる注文画面表示制御手段とを備えている。
【０００８】
この構成によると、一覧表示される画像の大きさを小さくすることによって、読み出し部によって読み出された画像データファイルに係る複数の画像のうちの出来るだけ多くの画像（好ましくは全ての画像）が一度に表示される。従って、読み出し部によって読み出された画像データファイルに係る複数の画像を確認するために、ページ送りを行う回数が減り、注文情報の入力を短時間で行うことができる。そのため、プリント注文の受付に要する時間を短縮することができ、一人の顧客が受付装置を占有する時間が短くなる。また、受付装置の時間効率を向上させることができる。
【０００９】
また、顧客が一覧表示された複数の画像の中から注文画像を指定すると、その注文画像が拡大表示されると共に、その注文画像の前後の画像（注文画像の直前に撮影された所定数の画像及び／または注文画像の直後に撮影された所定数の画像）が拡大表示された注文画面が表示される。従って、顧客は、注文画像とその前後の画像との関係を考慮しながら、注文画像に対する注文情報を入力することができるので、非常に便利である。
【００１０】
本発明のプリント注文受付装置では、前記注文画面において、前記注文画像の拡大画像と、前記注文画像の直前に撮影された所定数の画像及び／または前記注文画像の直後に撮影された所定数の画像の拡大画像とが異なる形態で表示されていることが好ましい。
【００１１】
この構成によると、注文画面では、注文画像の拡大画像が、注文画像の前後の画像の拡大画像と異なる形態で表示されるので、注文画像とその他の画像とを容易に区別することができる。
【００１２】
本発明のプリント注文受付装置では、前記注文画面において、前記注文画像の拡大画像の大きさが、前記注文画像の直前に撮影された所定数の画像及び／または前記注文画像の直後に撮影された所定数の画像の拡大画像の大きさよりも大きいことが好ましい。
【００１３】
この構成によると、注文画面では、注文画像の拡大画像の大きさが、注文画像の前後の画像の拡大画像の大きさよりも大きく表示されるので、注文画像とその他の画像とを容易に区別することができる。
【００１４】
本発明のプリント注文受付装置では、前記注文画面において、前記注文画像の拡大画像の枠の色が、前記注文画像の直前に撮影された所定数の画像及び／または前記注文画像の直後に撮影された所定数の画像の拡大画像の枠の色と異なることが好ましい。
【００１５】
この構成によると、注文画面では、注文画像の拡大画像の枠の色が、注文画像の前後の画像の拡大画像の枠の色と異なっているので、注文画像とその他の画像とを容易に区別することができる。
【００１６】
本発明のプリント注文受付装置では、前記注文画像の直前に撮影された所定数の画像及び／または前記注文画像の直後に撮影された所定数の画像の拡大画像に関して、前記注文画面に表示される枚数である所定数を入力する表示枚数入力手段をさらに備えていることが好ましい。
【００１７】
この構成によると、注文画面に表示される注文画像の前後の画像の数を適宜変更することができる。
【００１８】
本発明のプリント注文受付装置では、前記読み出し部によって読み出された画像データファイルに係る複数の画像は、撮影日毎のグループに分けられた状態で一覧表示されることが好ましい。
【００１９】
この構成によると、複数の画像が撮影日毎のグループに分けられた状態で表示されるので、各画像の撮影日を考慮しつつ注文画像を指定することができる。
【００２０】
本発明のプリント注文受付装置は、写真プリントの注文を受け付けるプリント注文受付装置において、記録媒体に記録された複数の画像データファイルを読み出すための読み出し部と、前記読み出し部によって読み出された画像データファイルに係る画像の撮影日時に関するパラメータを前記記録媒体又は画像データファイルから取得するパラメータ取得手段と、前記読み出し部によって読み出された画像データファイルに係る画像のうち、連続撮影された一群の画像を判別する判別手段と、前記読み出し部によって読み出された画像データファイルに係る複数の画像であり且つ所定サイズで一覧表示された複数の画像の中から注文画像を指定する指定手段と、前記指定手段によって指定された前記注文画像が含まれる連続撮影された一群の画像の前記所定サイズよりも大きい拡大画像を含む注文画面をディスプレイに表示させる注文画面表示制御手段とを備えている。
【００２１】
この構成によると、一覧表示される画像の大きさを小さくすることによって、読み出し部によって読み出された画像データファイルに係る複数の画像のうちの出来るだけ多くの画像（好ましくは全ての画像）が一度に表示される。従って、読み出し部によって読み出された画像データファイルに係る複数の画像を確認するために、ページ送りを行う回数が減り、注文情報の入力を短時間で行うことができる。さらに、連続撮影された一群の画像に含まれる複数の候補からプリントする画像を選択したい場合には、ほぼ全ての画像が一覧表示されているので、ページを送ったり戻ったりして画像の選択をしなくても、一目で短時間でプリントする画像を選択することができる。そのため、プリント注文の受付に要する時間を短縮することができ、一人の顧客が受付装置を占有する時間が短くなる。また、受付装置の時間効率を向上させることができる。
【００２２】
また、顧客が一覧表示された複数の画像の中から注文画像を指定すると、その注文画像が拡大表示されると共に、その注文画像が含まれる連続撮影された一群の画像のその他の画像が拡大表示された注文画面が表示される。従って、顧客は、注文画像と、連続撮影された一群の画像のその他の画像との関係を考慮しながら、注文画像に対する注文情報を入力することができるので、非常に便利である。
【００２３】
本発明のプリント注文受付装置では、前記注文画面において、前記注文画像の拡大画像と、前記注文画像が含まれる連続撮影された一群の画像のうちの前記注文画像以外の画像の拡大画像とが異なる形態で表示されていることが好ましい。
【００２４】
この構成によると、注文画面では、注文画像の拡大画像が、注文画像以外の画像の拡大画像と異なる形態で表示されるので、注文画像とその他の画像とを容易に区別することができる。
【００２５】
本発明のプリント注文受付装置では、前記注文画面において、前記注文画像の拡大画像の大きさが、前記注文画像が含まれる連続撮影された一群の画像のうちの前記注文画像以外の画像の拡大画像の大きさよりも大きいことが好ましい。
【００２６】
この構成によると、注文画面では、注文画像の拡大画像の大きさが、注文画像以外の画像の拡大画像の大きさよりも大きく表示されるので、注文画像とその他の画像とを容易に区別することができる。
【００２７】
本発明のプリント注文受付装置では、前記注文画面において、前記注文画像の拡大画像の枠の色が、前記注文画像が含まれる連続撮影された一群の画像のうちの前記注文画像以外の画像の拡大画像の枠の色と異なることが好ましい。
【００２８】
この構成によると、注文画面では、注文画像の拡大画像の枠の色が、注文画像以外の画像の拡大画像の枠の色と異なっているので、注文画像とその他の画像とを容易に区別することができる。
【００２９】
本発明のプリント注文受付装置では、前記読み出し部によって読み出された画像データファイルに係る複数の画像は、撮影日毎のグループに分けられた状態で一覧表示されることが好ましい。
【００３０】
この構成によると、複数の画像が撮影日毎のグループに分けられた状態で表示されるので、各画像の撮影日を考慮しつつ注文画像を指定することができる。
【００３１】
本発明のプリント注文受付装置は、写真プリントの注文を受け付けるプリント注文受付装置において、記録媒体に記録された複数の画像データファイルを読み出すための読み出し部と、前記読み出し部によって読み出された複数の画像データファイルに対して画像認識処理を行う画像認識手段と、前記読み出し部によって読み出された画像データファイルに係る画像のうち、互いに類似した一群の画像を判別する判別手段と、前記読み出し部によって読み出された画像データファイルに係る複数の画像であり且つ所定サイズで一覧表示された複数の画像の中から注文画像を指定する指定手段と、前記指定手段によって指定された前記注文画像が含まれる互いに類似した一群の画像の前記所定サイズよりも大きい拡大画像を含む注文画面をディスプレイに表示させる注文画面表示制御手段とを備えている。
【００３２】
この構成によると、一覧表示される画像の大きさを小さくすることによって、読み出し部によって読み出された画像データファイルに係る複数の画像のうちの出来るだけ多くの画像（好ましくは全ての画像）が一度に表示される。従って、読み出し部によって読み出された画像データファイルに係る複数の画像を確認するために、ページ送りを行う回数が減り、注文情報の入力を短時間で行うことができる。さらに、互いに類似した一群の画像に含まれる複数の候補からプリントする画像を選択したい場合には、ほぼ全ての画像が一覧表示されているので、ページを送ったり戻ったりして画像の選択をしなくても、一目で短時間でプリントする画像を選択することができる。そのため、プリント注文の受付に要する時間を短縮することができ、一人の顧客が受付装置を占有する時間が短くなる。また、受付装置の時間効率を向上させることができる。
【００３３】
また、顧客が一覧表示された複数の画像の中から注文画像を指定すると、その注文画像が拡大表示されると共に、その注文画像が含まれる互いに類似した一群の画像のその他の画像が拡大表示された注文画面が表示される。従って、顧客は、注文画像と、互いに類似した一群の画像のその他の画像との関係を考慮しながら、注文画像に対する注文情報を入力することができるので、非常に便利である。
【００３４】
本発明のプリント注文受付装置では、前記注文画面において、前記注文画像の拡大画像と、前記注文画像が含まれる互いに類似した一群の画像のうちの前記注文画像以外の画像の拡大画像とが異なる形態で表示されていることが好ましい。
【００３５】
この構成によると、注文画面では、注文画像の拡大画像が、注文画像以外の画像の拡大画像と異なる形態で表示されるので、注文画像とその他の画像とを容易に区別することができる。
【００３６】
本発明のプリント注文受付装置では、前記注文画面において、前記注文画像の拡大画像の大きさが、前記注文画像が含まれる互いに類似した一群の画像のうちの前記注文画像以外の画像の拡大画像の大きさよりも大きいことが好ましい。
【００３７】
この構成によると、注文画面では、注文画像の拡大画像の大きさが、注文画像以外の画像の拡大画像の大きさよりも大きく表示されるので、注文画像とその他の画像とを容易に区別することができる。
【００３８】
本発明のプリント注文受付装置では、前記注文画面において、前記注文画像の拡大画像の枠の色が、前記注文画像が含まれる互いに類似した一群の画像のうちの前記注文画像以外の画像の拡大画像の枠の色と異なることが好ましい。
【００３９】
この構成によると、注文画面では、注文画像の拡大画像の枠の色が、注文画像以外の画像の拡大画像の枠の色と異なっているので、注文画像とその他の画像とを容易に区別することができる。
【００４０】
本発明のプリント注文受付装置では、前記読み出し部によって読み出された画像データファイルに係る複数の画像は、撮影日毎のグループに分けられた状態で一覧表示されることが好ましい。
【００４１】
この構成によると、複数の画像が撮影日毎のグループに分けられた状態で表示されるので、各画像の撮影日を考慮しつつ注文画像を指定することができる。
【発明を実施するための最良の形態】
【００４２】
以下、本発明の好適な実施の形態について、図面を参照しつつ説明する。図１は、本発明の第１の実施の形態に係るプリント注文受付装置を含むデジタル画像処理システムの外観斜視図である。図２は、図１に示すデジタル画像処理システムの構成を示す図である。
【００４３】
〔デジタル画像処理システム〕
図１に示すデジタル画像処理システムは、複数のプリント注文受付装置Ｒ（以下、受付装置Ｒと略称する）と、銀塩式の印画紙１に画像データのプリントを行うデジタル型の写真処理装置Ｐと、これらの間で情報のアクセスを行う通信ネットワークＮ（図２参照）とを備えている。
【００４４】
デジタル画像処理システムは、写真店に設置されるのが一般的であり、このシステムでは、デジタルカメラで撮影された画像データを保存したスマートメディアＳＭ、コンパクトフラッシュ（登録商標）ＣＦ、メモリースティックＭＳ、ＰＣカードＰＣ−Ｃや、画像データを保存したＣＤ−ＲＯＭ、ＭＯ等の記録媒体（以下、これらをメディアＭと総称する）からの画像データに基づくプリント注文を受付装置Ｒで受付けることができる。
【００４５】
また、このシステムでは、この受付時に発行される受付証ｒｅ（図１５参照）を顧客が図１に示すサービスカウンターＣで写真店の担当者に提示することにより、その担当者が受付証ｒｅにプリントされた情報に基づき、完成した写真プリントを受付証ｒｅを提示した顧客に対して代金と引き換えに手渡す処理が行われる。
【００４６】
〔写真処理装置Ｐ〕
まず、写真処理装置Ｐの構成について、図１及び図２を参照して説明する。写真処理装置Ｐは、テーブル上に配置されたオペレート部Ｐｏと現像処理部Ｐｄとが一体化された装置本体と、この装置本体から分離した位置のスキャナーユニットＰｓとを備えている。
【００４７】
オペレート部Ｐｏには、印画紙マガジン５からの印画紙１をプリントサイズに切断してデジタル型の露光ヘッド６に供給する露光系が内装されている。また、オペレート部Ｐｏは、ＣＤ−ＲＯＭまたはＤＶＤからの情報の読出し、及び、ＣＤ−Ｒに対する情報の書き込みを行うコンボドライブ１０と、スマートメディアＳＭ、コンパクトフラッシュＣＦ及びＭＯ等の各種メディアに対応した複数のマルチドライブ１１と、画像データや各種情報の表示を行うディスプレイ１２と、キーボード１３と、マウス１４と、マイクロプロセッサを有する制御部１５を備えている。
【００４８】
制御部１５は、汎用コンピュータを用いて構成されており、各種のソフトウエアの作動が可能になっている。制御部１５は、画像処理ソフトによって、スキャナユニットＰｓでデジタル信号化された画像データの補正や、必要な場合には画像データのトリミングを行い、この処理の結果を制御部１５の半導体メモリやハードディスクに保存し、印画紙１に対する画像データの露光時に露光ヘッド６に転送することができる。
【００４９】
また、現像処理部Ｐｄには、露光ヘッド６で露光された印画紙１の現像処理を行う現像処理槽７が内装されている。現像処理部Ｐｄでは、現像処理槽７で現像処理が行われた印画紙１が、乾燥された後で、現像処理部Ｐｄの上面の横送りコンベア８に送出される。そして、横送りコンベア８からの印画紙１が仕分けコンベア９に送出される。
【００５０】
スキャナーユニットＰｓは、底部にキャスタを備えた筐体１７の上面に対して交換自在にフィルムキャリア１８を備えると共に、筐体内部に光学レンズやＣＣＤ等の光電変換素子を有する光電変換部（図示しない）を備えている。また、筐体内部に備えた光源から光ファイバーを介して送られる光線をフィルムキャリア１８の上面側に導くアーム１９を備えている。
【００５１】
そして、写真フィルム２のスキャニングを行う場合には、ネガティブフィルムまたはポジティブフィルムをフィルムキャリア１８にセットし、このフィルムキャリア１８で設定速度で移動させながらアーム１９の先端から下方に向けて照射する光線により、写真フィルム２の各コマの画像データを光電変換部でデジタル信号化し、ケーブル２０を介して制御部１５に転送し得るよう構成されている。
【００５２】
〔受付装置Ｒ〕
次に、受付装置Ｒの構成を図３を参照して説明する。受付装置Ｒは、図３に示すように、筐体２１の上面に配置され且つタッチパネル２２が形成された液晶型のディスプレイ２３と、筐体２１の前面に設けられた媒体ドライブとしての複数のメディアドライブ２４と、筐体２１の上面におけるディスプレイ２３より前面側に設けられ且つ受付証ｒｅを発行する熱転写式の受付証プリンタ２５と、筐体２１の内部に内蔵されたコントローラ２６とを備えている。なお、複数のメディアドライブ２４は、スマートメディアＳＭ、コンパクトフラッシュＣＦ、メモリスティックＭＳ、メディアＭのアタッチメントとして機能するＰＣカードＰＣ−Ｃ、ＣＤ−ＲＯＭ、ＭＯ等のそれぞれに対応している。
【００５３】
コントローラ２６は、メディアドライブ２４との情報のアクセス及びタッチパネル２２との情報のアクセスが可能であると共に、ディスプレイ２３に対する画像データの出力及び受付証プリンタ２５に対する情報の出力が可能である。また、コントローラ２６は、作業領域が形成されるＲＡＭ型の半導体メモリや、プログラムやパラメータが保存されるＲＯＭ型の半導体メモリの総称としてのメモリ（図示しない）を備えると共に、ハードウエアまたはソフトウエア、あるいは、ハードウエアとソフトウエアとの組合わせによって、画像データ記憶部８１と、パラメータ取得部８２と、表示画像情報記憶部８３と、制御部８４とが形成されている（図４参照）。
【００５４】
次に、受付装置Ｒのコントローラ２６の構成について、図４を参照して説明する。図４は、受付装置のコントローラの構成を示すブロック図である。なお、図４では、１台の受付装置Ｒだけが図示されているが、その他の受付装置Ｒにおいても同様である。
【００５５】
画像データ記憶部８１は、メディアドライブ２４によって読み出された複数の画像データファイルを記憶する。
【００５６】
パラメータ取得部８２は、メディアドライブ２４によって読み出された画像データファイルに係る画像の撮影日時に関するパラメータを記録媒体又は画像データファイルから取得する。例えばEXIF形式（Exchangeable Image File Format）で画像が記録されている場合、各画像の撮影日時に関するパラメータは、各画像データファイル内にタグ情報として記録されているので、パラメータ取得部８２は、画像データファイルから画像の撮影日時に関するパラメータを取得する。一方、例えばDPOF形式（Digital Print Order Format）で画像が記録されている場合、各画像の撮影日時に関するパラメータは、画像データファイルとは別のファイル内に記憶されているので、パラメータ取得部８２は、記録媒体から画像の撮影日時に関するパラメータを取得する。
【００５７】
本実施の形態では、各画像の撮影日時に関するパラメータが、EXIF形式の場合はタグ情報として各画像データファイル内に、またDPOF形式の場合は各画像データと対応するように記録媒体内に記録されているものとする。
【００５８】
表示画像情報記憶部８３は、「一覧画面」及び「注文画面」に表示される画像に関する情報を記憶する。本実施の形態では、表示画像情報記憶部８３は、例えば、「一覧画面」における画像のサイズ、「注文画面」における注文画像及び注文画像以外の画像のそれぞれの拡大率、注文画像及び注文画像以外の画像のそれぞれの枠の色、注文画像以外に表示される画像の種類及び枚数などの情報を記憶している。なお、表示画像情報記憶部８３に記憶される内容は、タッチパネル２２を操作することによって変更可能である。
【００５９】
制御部８４は、ディスプレイ２３における表示を制御し、プリント注文が行われる際に種々の画面をディスプレイ２３に表示させる。制御部８４は、メディアドライブ２４によって読み出された画像データファイルに係る複数の所定サイズの画像が撮影された順序にしたがって配置された「一覧画面」をディスプレイ２３に表示させる。また、制御部８４は、「一覧画面」において指定された注文画像の拡大画像を含み、且つ、注文画像の直前・直後の画像の拡大画像を含む「注文画面」をディスプレイ２３に表示させる。
【００６０】
〔受付装置Ｒでの注文受付〕
次に、受付装置Ｒにおけるプリント注文の受付の手順について、図５〜図１５を参照して説明する。図５は、受付装置におけるプリント注文の受付の手順を示すフローチャートである。図６〜図１４は、注文受付の際に受付装置のディスプレイに表示される表示画面の一例を示す図である。図１５は、受付証の一例を示す図である。
【００６１】
受付装置Ｒでは、待機状態においては、図６に示すように、受付装置Ｒの機能や写真店のロゴマーク等を含む待機画面（初期画面）が表示される（ステップＳ１）。そして、顧客が画像のプリントの注文を行う場合には、ディスプレイ２３のタッチパネル２２に指を接触させることにより、図７に示す「サービス選択画面」が表示される（ステップＳ２）。この画面には、「サービスを選択してください」とのメッセージと共に、プリントの受付を行わせるプリント受付スイッチ部４５ａと、メディア保存の受付を行わせるメディア保存受付スイッチ部４５ｂとが表示され、顧客に選択を求める。なお、メディア保存受付スイッチ部４５ｂが操作された場合には、メディアＭに保存された画像データを、写真処理装置Ｐに転送して、写真処理装置ＰにおいてＣＤ−ＲやＭＯに保存する処理が行われるが、プリントを受付ける処理と基本的に同じ処理形態であるので、詳細な説明は省略する。
【００６２】
「サービス選択画面」が表示された状態で、プリント受付スイッチ部４５ａが操作された場合には、図８に示す「メディア選択画面」が表示される（ステップＳ３）。この「メディア選択画面」には、「メディアを選択してください」とのメッセージと共に、メディアを選択する複数のスイッチ部４７が表示され、顧客に選択を求める。この「サービス選択画面」の下側には処理を中止するための中止ボタン４８と、前の処理に戻るための戻るボタン４９とが表示され、これら中止ボタン４８と戻るボタン４９とは、後述する処理においても同じ位置に表示され、操作することにより同様に機能する。
【００６３】
そして、「メディア選択画面」が表示された状態で、顧客が使用するメディアに対応するスイッチ部４７が操作された場合には、図９に示す「メディアセット案内画面」が表示される（ステップＳ４）。この画面には、「メディアをセットしてＯＫボタンを押してください」とのメッセージと共に、対応するメディアをセットする際の具体的な画像が表示される。
【００６４】
「メディアセット案内画面」にしたがってメディアＭがセットされ、顧客がＯＫボタン５０を操作することで、セットされたメディアＭから画像データが読み出されると共に、各画像の撮影日時に関するパラメータが取得される（ステップＳ５）。そして、セットされたメディアＭからの読み出しが完了すると、図１０に示す「一覧画面」が表示される（ステップＳ６）。この画面には、「注文画像を指定してください」とのメッセージと共に、メディアＭから読み出された画像データに係る画像の全てがサムネイル画像Ｓとして表示される。また、「一覧画面」の下側には、注文画像を指定する際に、注文画像を囲む指定枠５１（図１０では太線で示す）を移動させるための上下左右の４つの方向ボタン５２と、注文画像の指定を決定する指定ボタン５３とが表示される。
【００６５】
ここで、図１０の「一覧画面」では、メディアＭから読み出された画像データファイルに係る４４個の画像が読み出された場合が図示されている。これらの画像データは、各画像の撮影日時に関するパラメータに基づいて検知された各画像の撮影日時の順に表示される。図１０の「一覧画面」では、画面の左方から右方に向かって撮影日時が遅くなり、画面の上方から下方に向かって撮影日時が遅くなる。また、図１０の「一覧画面」では、複数の画像は、その撮影日毎にグループ分けされた状態で表示される。つまり、○月○日の撮影日を有する画像と、○月△日の撮影日を有する画像とが区切り線５６で区切られており、○月△日の撮影日を有する画像と、○月□日の撮影日を有する画像とが区切り線５７で区切られている。
【００６６】
その後、顧客は、「一覧画面」に表示された複数の画像の中から注文画像を１つずつ指定しながら、その注文画像に関するプリント枚数及びプリントサイズを入力する。そこで、プリント注文を行う画像の全てに関するプリント枚数及びプリントサイズの入力が完了したか否かが判断される（ステップＳ７）。つまり、図１０の「一覧画面」が表示された状態で、ＯＫボタン５０が操作されたか否かが判断される。
【００６７】
ここで、プリント枚数及びプリントサイズの入力が完了していない場合には（Ｓ７：ＮＯ）、顧客は指定枠５１を移動させることによって、プリント注文を行う画像を選択した後で、指定ボタン５３を操作して注文画像を指定する（ステップＳ８）。すると、図１１に示す「注文画面」が表示される（ステップＳ９）。この画面には、「プリント枚数及びプリントサイズを入力してください」とのメッセージと共に、「一覧画面」で指定された注文画像の拡大画像と、注文画像の直前の撮影日時を有する２個の画像の拡大画像と、注文画像の直後の撮影日時を有する２個の画像の拡大画像と、注文入力欄５６とが表示される。また、「注文画面」の下側には、プリント枚数及びプリントサイズを入力するための上下左右の４つの方向ボタン５２が表示される。
【００６８】
「注文画面」では、注文画像の拡大画像が中央に表示され、注文画像の直前の２個の画像の拡大画像がその左方に表示され、注文画像の直後の２個の画像の拡大画像がその右方に表示される。つまり、注文画像及びその前後の画像が、「注文画面」の左方から右方に向かって撮影日時の順序にしたがって表示される。
【００６９】
また、「注文画面」では、注文画像の拡大画像のサイズが、注文画像の直前・直後の４個の画像の拡大画像の大きさよりも大きい。また、注文画像の拡大画像の枠の色が、注文画像の直前・直後の４個の画像の拡大画像の枠の色とは異なっている。図１１では、注文画像の拡大画像の枠が実線で図示され、その他の画像の拡大画像の枠が破線で図示されており、これらの画像の枠の色が異なることを示している。
【００７０】
注文入力欄５６は、「注文画面」の中央に大きく表示された注文画像のプリント枚数及びプリントサイズを入力するためのものである。ここで、左右の方向ボタン５２は、プリント枚数及びプリントサイズのうちで入力する項目を選択するために用いられ、上下の方向ボタン５２は、プリント枚数及びプリントサイズを変更するために用いられる。プリント枚数が選択された状態で、上の方向ボタン５２が操作されると、プリント枚数が増加し、下の方向ボタン５２が操作されると、プリント枚数が減少する。プリントサイズが選択された状態で、上の方向ボタン５２が操作されると、プリントサイズがＬ版、２Ｌ版、六つ切の順に変更され、下の方向ボタン５２が操作されると、プリントサイズが六つ切、２Ｌ版、Ｌ版の順に変更される。
【００７１】
「注文画面」において、方向ボタン５２が操作されることによって、注文画像のプリント枚数及びプリントサイズが入力された後で、ＯＫボタン５０が操作される（ステップＳ１０）。すると、「注文画面」から「一覧画面」に切り換わり（ステップＳ６）、再度、プリント注文を行う画像の全てに関するプリント枚数及びプリントサイズの入力が完了したか否かが判断される（ステップＳ７）。
【００７２】
そして、プリント枚数及びプリントサイズの入力が完了した場合には（Ｓ７：ＹＥＳ）、「一覧画面」が表示された状態で、ＯＫボタン５０が操作されると、図１２に示す「注文内容確認画面」が表示される（ステップＳ１１）。この画面には「注文の内容を確認してください」とのメッセージと共に、顧客が受付装置Ｒから入力したプリントの詳細と金額とを一覧化した確認シート６５が表示される。そして、この表示内容に誤りがなければＯＫボタン５０を操作することで、オーダ情報と画像データとにＩＤ情報を付与した形態のフォルダが新たに生成され、これらの情報が写真処理装置Ｐに送信される。
【００７３】
「注文内容確認画面」が表示された状態で、ＯＫボタン５０が操作されると、図１３に示す「メディア抜取り案内画面」が表示される（ステップＳ１２）。この画面には「メディアを抜取ってください」とのメッセージが表示され、この表示にしたがいメディアを抜取り、ＯＫボタン５０を操作することで、図１４に示す「受付証発行案内画面」が表示される（ステップＳ１３）。この画面には「受付証を発行中です、しばらくお待ちください」及び「受付証はカウンタに持参してください」のメッセージが表示され、所定の時間が経過すると受付証プリンタ２５で受付証ｒｅがプリントされて送出される（ステップＳ１４）。このように受付証ｒｅが発行されると、受付処理の全てが終了して待機画面に復帰する。
【００７４】
受付証ｒｅは、図１５に示すように、受付証本体と、お客様控えとが連なった形態となっており、お客様名、電話番号、受付ＩＤ、端末ＩＤ、受付日、注文番号等の他に注文の詳細を示す内容がプリントされている。なお、即日に写真のプリントを手渡せない場合には、受付証本体と、お客様控えとを切り離し、受付証本体をＤＰ店の控えとして残し、お客様控えを顧客に手渡す処理も可能にしている。
【００７５】
以上説明したように、本実施の形態の受付装置Ｒでは、「一覧画面」に表示される画像のサイズを小さくすることによって、メディアドライブ２４によって読み出された複数の画像データファイルに係る複数の画像の全ての画像が「一覧画面」に一度に表示される。そのため、顧客は、「一覧画面」において注文画像を１つずつ指定しながらプリント注文を完了することができるので、顧客は注文情報の入力を短時間で行うことができる。そのため、プリント注文の受付に要する時間を短縮することができ、一人の顧客が受付装置を占有する時間が短くなる。また、受付装置の時間効率を向上させることができる。
【００７６】
また、顧客が「一覧画面」において注文画像を指定すると、その注文画像が拡大表示されると共に、その注文画像の前後の画像が拡大表示された「注文画面」に切り換わる。従って、顧客は、注文画像とその前後の画像との関係を考慮しながら、注文画像に対する注文情報を入力することができるので、非常に便利である。
【００７７】
また、「注文画面」では、注文画像の拡大画像の大きさが注文画像の直前・直後の画像の拡大画像の大きさよりも大きく、注文画像の拡大画像の枠の色が注文画像の直前・直後の画像の拡大画像の枠の色とは異なっているので、注文画像とその他の画像とを容易に区別することができる。
【００７８】
また、表示画像情報記憶部８３に記憶される情報を変更することによって、「注文画面」に表示される注文画像の前後の画像数を適宜変更することができる。
【００７９】
また、「一覧画面」では、撮影日毎のグループに分けられた状態で複数の画像が表示されているので、各画像の撮影日を考慮しつつ注文画像を指定することができる。
【００８０】
次に、本発明の第２の実施の形態に係る受付装置Ｒについて、図１６及び図１７を参照して説明する。図１６は、受付装置のコントローラの構成を示すブロック図である。
【００８１】
第２の実施の形態の受付装置Ｒが、第１の実施の形態の受付装置Ｒと異なる点は、第１の実施の形態の受付装置Ｒでは、「一覧画面」で指定された注文画像及びその前後の画像が拡大表示された「注文画面」が表示されるのに対し、第２の実施の形態の受付装置Ｒでは、「一覧画面」で指定された注文画像及びそれが含まれる連続撮影された一群の画像のうちの注文画像以外の画像が拡大表示された「注文画面」が表示される点である。なお、第２の実施の形態の受付装置Ｒのその他の構成は、第１の実施の形態の受付装置Ｒと同様であるので、同一符号を付けて詳細な説明は省略する。
【００８２】
コントローラ１２６には、画像データ記憶部８１と、パラメータ取得部８２と、閾値記憶部１８３と、判別部１８４と、表示画像情報記憶部１８５と、制御部１８６とが形成されている。
【００８３】
閾値記憶部１８３は、メディアドライブ２４によって読み出された画像データファイルに係る画像の中から連続撮影された一群の画像（連続画像）を判別するために用いられる所定時間を記憶する。ここで、本実施の形態では、閾値記憶部１８３は、所定時間として１秒が記憶されている。
【００８４】
判別部１８４は、メディアドライブ２４によって読み出された画像データファイルに係る画像のうち、閾値記憶部１８３に記憶された所定時間内の撮影日時を有する画像を連続画像と判別する。本実施の形態では、所定時間１秒内の撮影日時を有する複数の画像がある場合に、これらの画像が連続画像と判別される。
【００８５】
表示画像情報記憶部１８５は、第１の実施の形態の表示画像情報記憶部８３と同様に、「一覧画面」及び「注文画面」に表示される画像に関する情報を記憶する。
【００８６】
制御部１８６は、ディスプレイ２３における表示を制御し、プリント注文が行われる際に種々の画面をディスプレイ２３に表示させる。制御部１８６は、メディアドライブ２４によって読み出された画像データファイルに係る複数の所定サイズの画像が撮影された順序にしたがって配置された「一覧画面」をディスプレイ２３に表示させる。また、制御部１８６は、「一覧画面」において指定された注文画像の拡大画像を含み、且つ、注文画像が含まれる連続画像のその他の画像の拡大画像を含む「注文画面」をディスプレイ２３に表示させる。
【００８７】
図１７は、本実施の形態における注文画面の一例を示している。ここでは、「一覧画面」において、１０個の連続画像に含まれる１個の画像が注文画面として指定された場合が図示されている。つまり、「注文画面」では、注文画像の拡大画像が左方に表示され、注文画像が含まれる連続画像のその他の画像の拡大画像がその右方に表示される。また、「注文画面」では、第１の実施の形態と同様に、注文画像の拡大画像のサイズが、注文画像以外の画像の拡大画像の大きさよりも大きい。また、注文画像の拡大画像の枠の色が、注文画像以外の画像の拡大画像の枠の色とは異なっている。
【００８８】
以上説明したように、本実施の形態の受付装置Ｒでは、第１の実施の形態と同様の効果を得ることができる。また、顧客が「一覧画面」において注文画像を指定すると、その注文画像が拡大表示されると共に、その注文画像が含まれる連続画像のその他の画像が拡大表示された「注文画面」に切り換わる。従って、顧客は、注文画像と連続画像のその他の画像との関係を考慮しながら、注文画像に対する注文情報を入力することができるので、非常に便利である。
【００８９】
次に、本発明の第３の実施の形態に係る受付装置Ｒについて、図１８を参照して説明する。図１８は、受付装置のコントローラの構成を示すブロック図である。
【００９０】
第３の実施の形態の受付装置Ｒが、第１の実施の形態の受付装置Ｒと異なる点は、第１の実施の形態の受付装置Ｒでは、「一覧画面」で指定された注文画像及びその前後の画像が拡大表示された「注文画面」が表示されるのに対し、第３の実施の形態の受付装置Ｒでは、「一覧画面」で指定された注文画像及びそれが含まれる互いに類似した一群の画像のうちの注文画像以外の画像が拡大表示された「注文画面」が表示される点である。なお、第３の実施の形態の受付装置Ｒのその他の構成は、第１の実施の形態の受付装置Ｒと同様であるので、同一符号を付けて詳細な説明は省略する。
【００９１】
コントローラ２２６には、画像データ記憶部８１と、画像認識部２８２と、評価データ計算部２８３と、閾値記憶部２８４と、判別部２８５と、表示画像情報記憶部２８６と、制御部２８７とが形成されている。
【００９２】
画像認識部２８２は、画像データ記憶部８１に記憶された画像データファイルに対して画像認識処理を行うことによって、各画像データファイルに係る画像の内容を認識することができる。本実施の形態では、画像認識部２８２は、各画像について、画像データとその度数との関係を示すヒストグラムを作成する。画像認識部２８２では、横軸にＲ、ＧまたはＢの画像データをとり、縦軸に各画像データの度数をとったときの度数分布がＲＧＢごとに作成される。
【００９３】
評価データ計算部２８３は、画像認識部２８２により作成された各ヒストグラムに基づいて、互いに類似した画像を判別するための評価データをＲＧＢ毎に計算する。本実施の形態では、評価データ計算部２８３は、メディアドライブ２４によって読み出された複数の画像のそれぞれが、その他の画像と類似しているか否かを判別するための評価データを計算する。
【００９４】
ここで、評価データとは、例えばＳＮ比（Signal-to-Noise ratio ）のことである。ＳＮ比は、一般的には、分析目的に由来する信号（応答値）Ｓと、それ以外の要因に基づく信号（通常はノイズ）Ｎとの強度比Ｓ／Ｎを指すが、ここでは、品質工学の分野で用いるＳＮ比の概念を指している。すなわち、品質工学におけるＳＮ比とは、目標に対して対象がどれだけばらついているかを示し、ＳＮ比の値が大きいほど、ばらつきが少ないことを示す。このような品質工学におけるＳＮ比の概念を本実施形態に導入した場合、ＳＮ比は、一方のデータ（画像）に対する他方のデータ（画像）のばらつき、つまり、一方のデータに他方のデータがどれだけ近いかを示すことになり、ＳＮ比の値が大きいほど、上記両データ（画像）は類似していることになる。
【００９５】
本実施形態において扱うＳＮ比は、具体的には、以下の式のη（ｄｂ）で示される。本実施の形態では、８ビットの画像データを用いてＳＮ比を求めるため、ｎ＝２５５である。
【００９６】
【数１】
2006318009.tif 000003
【００９７】
閾値記憶部２８４は、２つの画像が互いに類似した画像か否かを判別する際に用いられる評価データの閾値をＲＧＢ毎に記憶する。本実施の形態では、閾値記憶部２８４は、ＳＮ比の閾値をＲＧＢ毎に記憶する。
【００９８】
判別部２８５は、評価データ計算部２８３で計算されたＲＧＢ毎のＳＮ比の値と、閾値記憶部２８４に記憶されたＲＧＢ毎の閾値とを比較することによって、メディアドライブ２４によって読み出された複数の画像の中から互いに類似した一群の画像（類似画像）を判別する。本実施の形態では、判別部２８５は、メディアドライブ２４によって読み出された複数の画像のそれぞれが、その他の画像と類似しているか否かを順に判断することにより、類似画像を判別する。ここで、判別部２８５は、ＲＧＢ毎の各ＳＮ比の値が全て閾値よりも大きい場合に、２つの画像は類似していると判断する。
【００９９】
制御部２８６は、ディスプレイ２３における表示を制御し、プリント注文が行われる際に種々の画面をディスプレイ２３に表示させる。制御部２８６は、メディアドライブ２４によって読み出された画像データファイルに係る複数の所定サイズの画像が撮影された順序にしたがって配置された「一覧画面」をディスプレイ２３に表示させる。また、制御部２８６は、「一覧画面」において指定された注文画像の拡大画像を含み、且つ、注文画像が含まれる類似画像のその他の画像の拡大画像を含む「注文画面」をディスプレイ２３に表示させる。
【０１００】
なお、本実施の形態における注文画面の一例は図示しないが、第２の実施の形態における注文画面（図１７参照）と同様である。
【０１０１】
以上説明したように、本実施の形態の受付装置Ｒでは、第１の実施の形態と同様の効果を得ることができる。また、顧客が「一覧画面」において注文画像を指定すると、その注文画像が拡大表示されると共に、その注文画像が含まれる類似画像のその他の画像が拡大表示された「注文画面」に切り換わる。従って、顧客は、注文画像と類似画像のその他の画像との関係を考慮しながら、注文画像に対する注文情報を入力することができるので、非常に便利である。
【０１０２】
以上、本発明の好適な実施の形態について説明したが、本発明は上述の実施の形態に限られるものではなく、特許請求の範囲に記載した限りにおいて様々な設計変更が可能なものである。例えば、上述の第１〜第３の実施の形態では、「一覧画面」には、メディアＭから読み取られた画像データファイルに係る画像の全てが表示されているが、「一覧画面」には、メディアＭから読み取られた画像データファイルに係る画像のうちの多くの画像だけが表示されてもよい。
【０１０３】
また、上述の第１〜第３の実施の形態では、「注文画面」における注文画像の拡大画像の大きさがその他の画像の拡大画像の大きさよりも大きいが、これらの拡大画像の大きさは同じであってもよい。また、「注文画面」における注文画像の拡大画像の枠の色がその他の画像の拡大画像の枠の色とは異なっているが、これらの拡大画像の枠の色は同じであってもよい。また、上述の第１〜第３の実施の形態では、「注文画面」における注文画像の拡大画像と注文画像の直前・直後の画像の拡大画像とが、その大きさ及び枠の色が異なることによって異なる形態で表示されているが、これらの拡大画像が容易に区別できるようになっていれば、これらの拡大画像がその他の異なる形態で表示されていてもよい。
【０１０４】
また、上述の第１の実施の形態では、「注文画面」には、注文画像の直前の２つの画像及び注文画像の直後の２つの画像が表示されているが、注文画像の直前の画像のみが表示されてもよいし、注文画像の直後の画像のみが表示されてもよい。また、「注文画面」において、注文画像の直前・直後の画像の枚数は変更できる。
【０１０５】
また、上述の第１の実施の形態では、「一覧画面」では、複数の画像が撮影された順序にしたがって配置されているが、複数の画像はその他の順序にしたがって配置されてもよい。
【０１０６】
また、上述の第１の実施の形態では、「一覧画面」では、複数の画像が撮影日毎に区切り線によってグループ分けされた状態で表示されているが、グループ分けされた状態で表示されなくてもよい。また、グループ分けされた状態で表示される場合でも、グループ分けの方法は変更できる。従って、例えば、複数の画像が撮影日毎に改行されることによってグループ分けされた状態で表示されてもよい。
【０１０７】
また、上述の第１〜第３の実施の形態では、「注文画面」において、注文画像のプリント枚数及びプリントサイズが入力されているが、注文画像に関する注文情報は、プリント枚数及びプリントサイズ以外の項目であってもよい。また、全ての画像に関するプリントサイズがまとめて設定される場合には、「注文画面」において、注文画像のプリント枚数だけが入力されてもよい。
【０１０８】
また、上述の第２の実施の形態では、所定時間内の撮影日時を有する画像が連続画像と判別されているが、その他の方法で連続画像が判別されてもよい。従って、例えばデジタルカメラの連写モードで撮影された場合のように、所定時間間隔の撮影日時を有する画像が連続画像と判別されてもよい。
【０１０９】
また、上述の第３の実施の形態では、画像データファイルに対する画像認識処理が行われ、これらの画像間の類似度を示す評価データと閾値とを比較することによって類似画像が判別されているが、その他の方法で類似画像が判別されてもよい。
【図面の簡単な説明】
【０１１０】
【図１】本発明の第１の実施の形態に係るプリント注文受付装置を含むデジタル画像処理システムの外観斜視図である。
【図２】図１に示すデジタル画像処理システムの構成を示す図である。
【図３】図１に示す受付装置の構成を示す図である。
【図４】受付装置のコントローラの構成を示すブロック図である。
【図５】受付装置におけるプリント注文の受付の手順を示すフローチャートである。
【図６】注文受付の際に受付装置のディスプレイに表示される表示画面の一例を示す図である。
【図７】注文受付の際に受付装置のディスプレイに表示される表示画面の一例を示す図である。
【図８】注文受付の際に受付装置のディスプレイに表示される表示画面の一例を示す図である。
【図９】注文受付の際に受付装置のディスプレイに表示される表示画面の一例を示す図である。
【図１０】注文受付の際に受付装置のディスプレイに表示される表示画面の一例を示す図である。
【図１１】注文受付の際に受付装置のディスプレイに表示される表示画面の一例を示す図である。
【図１２】注文受付の際に受付装置のディスプレイに表示される表示画面の一例を示す図である。
【図１３】注文受付の際に受付装置のディスプレイに表示される表示画面の一例を示す図である。
【図１４】注文受付の際に受付装置のディスプレイに表示される表示画面の一例を示す図である。
【図１５】受付証の一例を示す図である。
【図１６】本発明の第２の実施の形態に係るプリント注文受付装置のコントローラの構成を示すブロック図である。
【図１７】注文受付の際に受付装置のディスプレイに表示される表示画面の一例を示す図である。
【図１８】本発明の第３の実施の形態に係るプリント注文受付装置のコントローラの構成を示すブロック図である。
【符号の説明】
【０１１１】
Ｒ  プリント注文受付装置
Ｐ  写真処理装置
２２  タッチパネル（指定手段；表示枚数入力手段）
２３  ディスプレイ
２４  メディアドライブ（読み出し部）
８１  画像データ記憶部
８２  パラメータ取得部（パラメータ取得手段）
８３  閾値記憶部
８４  制御部（注文画面表示制御手段）
１８３  閾値記憶部
１８４  判別部（判別手段）
１８５  表示画像情報記憶部
１８６  制御部
２８２  画像認識部（画像認識手段）
２８３  評価データ計算部
２８４  閾値記憶部
２８５  判別部（判別手段）
２８６  表示画像情報記憶部
２８７  制御部
【図１】
2006318009.tif 000004
【図２】
2006318009.tif 000005
【図３】
2006318009.tif 000006
【図４】
2006318009.tif 000007
【図５】
2006318009.tif 000008
【図６】
2006318009.tif 000009
【図７】
2006318009.tif 000010
【図８】
2006318009.tif 000011
【図９】
2006318009.tif 000012
【図１０】
2006318009.tif 000013
【図１１】
2006318009.tif 000014
【図１２】
2006318009.tif 000015
【図１３】
2006318009.tif 000016
【図１４】
2006318009.tif 000017
【図１５】
2006318009.tif 000018
【図１６】
2006318009.tif 000019
【図１７】
2006318009.tif 000020
【図１８】
2006318009.tif 000021